(57)【特許請求の範囲】
【請求項１】
外壁パネル１７の側端面の段又は凹部によって隣接する外壁パネル間に形成される凸形断面の目地１９内に嵌挿される目地材１０を有し、前記外壁パネル側端面の段又は凹部には、目地材１０の両側部がそれぞれ嵌挿されるコ形断面のチャンネル材１６を設け、前記目地材１０は硬質樹脂よりなるか、あるいは芯金を入れて剛性を保持させた本体１１とを有し、該本体１１には、中央部に開閉可能で、常には開いた状態にある取付部１２を形成すると共に、左右両側に弾力性を有する目地クッション片１３を突出形成し、外壁パネル取付後、目地内に上方より前記目地材１０の取付部１２を両側より押込んで窄めた状態で押込み、押込まれた目地材１０は取付部１２が拡開して突部１２ｂとリップ片１２ｃが外壁パネル１７側端面に押付けられ、突部１４ａを備えた目地カバー１４を両側の外壁パネル１７のエッジに掛かるようにして前記突部１４ａを前記拡開した取付部１２内に差込み、そのまま押し込んで強制嵌合してなる外壁パネルの目地構造。
【請求項２】
前記目地材１０は、チャンネル材１６間に突出して目地材１１の左右動を一定範囲に規制する突出部１１ｂを有する請求項１記載の外壁パネルの目地構造。
【請求項３】
前記目地材１０は、両側に目地材１０の上下方向の揺れ止め機能を果たす突片１１ｃを備える請求項１又は２記載の外壁パネルの目地構造。
【発明の詳細な説明】
【０００１】
【発明が属する技術分野】
本発明は、住宅等における外壁パネルの目地構造に関する。
【０００２】
【従来技術】
住宅等における外壁パネルの目地構造に関しては、図１に示すように隣接する外壁パネル１間の目地２に乾式目地材３を押し込んで装填すると共に、その奥に二次防水材４を詰め込んだものが知られる。
また実開平４−１００７０４号には、底板部に一対の垂直板を立設した下部材と、隣接する外壁パネルのエッジに被さる木口封止片の下面に外壁パネル間の目地に嵌合する突部を有し、該突部に外壁パネル端面に押付けられる目地クッション片と、下部材の垂直板間に押込まれる突起部を備えた上部材よりなる乾式目地ジョイナーが開示され、また実用新案登録第２５２６６８８号には、底板部に一対の垂直板を立設した下部材と、隣接する外壁パネル間に押込まれる、弾性を有する目地封止クッション片の下面に下部材の垂直板間に嵌入される突起部を備えた上部材よりなり、下部材の垂直板上端には下方に傾斜した弾性を有する目地クッション片を備えた乾式目地ジョイナーが開示されている。
【０００３】
【発明が解決しようとする課題】
上述する目地構造は、外壁パネル間に押込まれる目地材や目地クッション片の弾発力によってシール性を確保しているが、施工後の経年変化によって外壁パネルが収縮したり、地震等の外的要因によってパネルが動いたりして目地巾が広くなると、シール性が低下する。しかも実開平４−１００７０４号や実用新案登録第２５２６６８８号に示される乾式目地ジョイナーでは、外壁パネルを取付ける前に下部材を目地位置や目地巾を考慮して取付ける必要があり、面倒である。
【０００４】
本発明は、上記の問題を解消することができる外壁パネルの目地構造を提供することを目的とする。
【０００５】
【課題の解決手段】
請求項１記載の発明は、外壁パネルの側端面の段又は凹部によって隣接する外壁パネル間に形成される凸形断面の目地内に嵌挿される目地材を有し、前記外壁パネル側端面の段又は凹部には、目地材の両側部がそれぞれ嵌挿されるコ形断面のチャンネル材を設け、前記目地材は硬質樹脂よりなるか、あるいは芯金を入れて剛性を保持させた本体とを有し、該本体には、中央部に開閉可能で、常には開いた状態にある取付部を形成すると共に、左右両側に弾力性を有する目地クッション片を突出形成し、外壁パネル取付後、目地内に上方より前記目地材の取付部を両側より押込んで窄めた状態で押込み、押込まれた目地材は取付部が拡開して突部とリップ片が外壁パネル側端面に押付けられ、突部を備えた目地カバーを両側の外壁パネルのエッジに掛かるようにして前記突部を前記拡開した取付部内に差込み、そのまま押し込んで強制嵌合してなるものである。
【０００６】
本発明によると、目地クッション片がチャンネル材上面の内側に弾接することによりシール性が確保されるが、チャンネル材上面の内側は外壁パネルの取付面と平行をなしているため、外壁パネルが横移動して目地巾が変化するようなことがあっても目地クッション片がチャンネル材上面の内側を摺動してシール性を維持する。また外壁パネルが反るようなことがあっても反りに追随して目地クッション片がチャンネル材上面の内側との接触を維持する。
本発明においてはまた、外壁パネル側端面の段又は凹部にコ形断面のチャンネル材を設けたことにより目地材が嵌挿される目地のサイズが一定となって、目地クッション片との密着が確実に行われ、シール性及び防水性が向上すると共に、目地の嵌挿がスムースに行われる。
チャンネル材はまた、摩擦係数の小さな金属若しくは硬質樹脂製とすれば、シール面の耐久性が増すと共に、目地クッション片との密着性が向上してシール性及び防水性が向上し、目地巾が変化する際の目地クッション片の滑りもよくなる。
【０００７】
本発明の目地材を目地内に押し込んで装着できるようにするには、ある程度の剛性を持たせる必要がある。そのために、目地材を剛性のある金属製若しくは硬質樹脂製とし、弾力性を必要とする目地クッション片を目地材と一体若しくは別体の弾力性のあるゴム若しくは樹脂製としたものである。すなわち目地材をＪＩＳ Ｋ ６２５３タイプＡで規定する硬度が例えば９０度以上、目地クッション片を同じ硬度が例えば７０度程度の熱可塑性樹脂製、例えばオレフィン系樹脂やポリ塩化ビニル等とするか或いはゴム製、例えばエチレン・プロピレンゴムとしたものである。なお目地材は硬度を９０°以上とする代わりに芯金をインサートして剛性を持たせるようにしてもよい。
【０００８】
目地クッション片はゴム製にするにしても樹脂製にするにしても好ましい発明では鉤状に形成され、シール面と線接触するようにされる。これによりシール面との接触が確実に行われ、シール性が向上する。
本発明の目地材は、目地カバーと組合せて用いられ、目地カバーが外壁パネルのエッジに被さるか、或いは目地を覆うことにより雨水が目地内に入り込むのが防止され、外観上の見映えも向上する。
【０００９】
本発明の目地カバーとしては、目地材と同様の理由により硬質の熱可塑性樹脂製、例えばアクリロニトリル・ＥＰゴム・スチレン共重合体、アクリロニトリル・アクリルゴム・スチレン共重合体やポリ塩化ビニル等の硬質の硬質樹脂製とするのが望ましい。
【００１０】
この目地カバーは、既知のものと同様、目地材に差込んで取付けるのが望ましいが、取付後は目地カバーが抜け止めされ、容易に外れないようにするため目地カバーにフック状部を、目地材にフック状部に引掛かる引掛部を設け、目地カバーのフック状部を引掛部に押込んで引掛けるのが望ましい。
【００１１】
好ましい発明では、目地カバー及び若しくは目地材に外壁パネル側端面に弾発力により押付けられるリップ片が設けられる。これによりシール性をより一層向上させることができると共に、外壁パネルが反るようなことがあってもリップ片が外壁パネル側端面を摺動することによりシール性を維持することができる。
【００１２】
目地カバーは経年変化により或いは地震等の外的要因により目地巾が広がり、そのため目地カバーが目地をカバーできなくなって隙間ができ、該隙間を通して目地が露呈するようになることが考えられる。このことを考慮して目地材は好ましい発明では、目地カバーや外壁パネルと同色にされる。目地巾が広がって目地材が露呈するようなことがあっても、目立たなくなり、美観が損なわれにくゝなるためである。
【００１３】
請求項２記載の発明は、請求項１記載の発明の前記目地材が、チャンネル材間に突出して目地材の左右動を一定範囲に規制する突出部を有するものであり、
請求項３記載の発明は、請求項１又は２記載の発明の前記目地材が、両側に目地材の上下方向の揺れ止め機能を果たす突片を備えるものである。
【００１４】
【発明の実施の形態】
図２は、本発明の目地構造で用いられる目地材１０の一例を示すもので、ＪＩＳ Ｋ ６２５３タイプＡで規定する硬度が９０度以上の硬質の熱可塑性樹脂よりなる本体１１を有し、該本体１１の中央部上には後述する目地カバーの取付部１２を、左右両側には目地クッション片１３を一体に形成して左右対称形をなし、取付部１２と目地クッション片１３はそれぞれＪＩＳ Ｋ ６２５３タイプＡで規定する硬度が７０度程度の熱可塑性樹脂よりなり、外壁パネル（後述する）と同色で弾力性を有している。以下、これらについて順に詳述する。
【００１５】
本体１１は、下面の左右両側にそれぞれ一対の脚部１１ａと、中央部に脚部１１ａより若干突出する突出部１１ｂを備え、上面の取付部１２の両側には突片１１ｃを備えている。
本体１１は、硬質の樹脂で形成する代りに取付部１２や目地クッション片１３と同様、軟質の樹脂で形成し、中に芯金を入れて剛性を保持させるようにしてもよい。
【００１６】
取付部１２は開閉可能で、常には開いた状態にあり、内側の上部にはそれぞれ突状の引掛部１２ａを備えており、また段状をなす外側の上端には側方に突出する突部１２ｂを、下側部には斜め上方に突出するリップ片１２ｃを備え、リップ片１２ｃは内側に押込んだとき下段に収まるような長さになっている。
目地クッション片１３は本体１１より斜め上向きに突出して先端に爪１３ａを有する鉤状をなしている。
【００１７】
図３は、目地カバー１４の一例を示すもので、本体１１と同程度の硬度を有し、かつ外壁パネルと同色で、目地巾より若干広く、下面中央部に突出する突部１４ａには両側に突出する一対のフック状部１４ｂを備えている。
外壁パネルは図４に示すように、側端面が段状に形成され、下側部にコ形断面の表面が滑らかな金属製のチャンネル材１６が取付けられている。
【００１８】
図４に示す外壁パネル１７の外壁パネル取付面１８への取付けは常法により行われ、外壁パネル間には両側のチャンネル材１６と共に凸型断面の目地１９が形成される。そしてこの目地１９内に目地材１０が次のようにして充填される。すなわち、
外壁パネル取付後、目地内に上方より目地材１０を取付部１２を両側より押し込んで窄めた状態で押し込む。押し込まれた目地材１０は取付部１２が拡開し、突部１２ｂとリップ片１２ｃが外壁パネル１７側端面に押付けられると共に、目地クッション片１３が外壁パネル取付面１８と平行をなすチャンネル材上面の内側（シール面）に押付けられ、それぞれ外壁パネル側端面及びチャンネル材上側のシール面に線接触してシールする。
【００１９】
ついで目地巾より若干広めの目地カバー１４を両側の外壁パネル１７のエッジに掛かるようにして突部１４ａを拡開した取付部内に差込み、そのまゝ押し込んで強制嵌合し、フック状部１４ａをそれぞれ引掛部１２ａに引掛ける。本実施形態の目地構造によると、目地材を外壁パネル取付後に取付けることができ、外壁パネル取付時には目地位置や目地巾を考慮する必要がないため、外壁パネルの取付けが容易となること、コ形断面をなす金属製のチャンネル材により外壁パネル１７の側端面を補強することができると共に、表面を滑らかにして摩擦係数を少なくでき、また目地材１０が装着される目地部分のサイズが施工上ばらつくことがなく、一定となり、目地材によるシール性を一定に維持できること、取付部１２を窄めた状態で、脚部１１ａと目地クッション片１３を表面の滑らかなチャンネル材１６に線接触状態で押込むことによりスムースに嵌挿できること、目地クッション片１３を爪を備えた鉤状とすることにより、爪先端が線接触状態でチャンネル材１６に押付けられるためシール性が向上すること、経年変化や地震等の外的要因により目地巾が広がり、突部１２ｂやリップ片１２ｃによるシール性が損なわれることがあっても目地クッション片１３の爪１３ａがチャンネル材１６のシール面を摺動することによりシール性が維持されること、外壁パネル１７が反るようなことがあっても、目地クッション片１３が外壁パネル１７の反りに追随してチャンネル材１６のシール面への爪先端の接触を維持すると共に、突部１２ｂとリップ片１２ｃが外壁パネル側端面をスライドして接触を維持し、シール性を維持できること、目地カバー１４はフック状部１４ａが取付部１２の引掛部１２ａに引掛けられることにより抜け止めされ、目地より外れるのを防止できること、本体１１の突出部１１ｂがチャンネル材間に突出することにより本体１１の左右動が一定範囲に規制され、図４の左右方向の揺れ止めとなること、突片１１ｃにより図４の上下方向の揺れ止め機能が果たされ、突片１１ｃが雨水進入の邪魔板としての機能を果たすこと、目地カバー１４及び目地材１０の取付部１２が外壁パネル１７と同色をなすことにより仮に目地巾が広がって目地カバー１４が外壁パネル１７のエッジより外れ、隙間ができて、目地材１０が見えるようなことがあっても、目地材１０が目立たず、美観を損ねにくいこと等の効果を有する。
【００２０】
【発明の効果】
本発明によると、目地材を外壁パネル取付後に取付けることができ、外壁パネル取付時には目地位置や目地巾を考慮する必要がないため、外壁パネルの取付けが容易となること、経年変化により或いは地震等の外的要因により目地巾が広がるようなことがあっても目地クッション片がシール面を摺動することによりシール性を維持できること、目地カバーを設けると、雨水が目地内に入り込むのを防止することができると共に、目地材を覆うことにより目地の外観を向上させることができること、外壁パネルの側端面の段又は凹部にコ形断面のチャンネル材を設けると、外壁パネルの側端面を補強することができると共に、目地材の嵌挿をよりスムースに行えるようになり、また目地材が装着される目地部分のサイズが施工上ばらつくことがなく、規格化されて一定となり、目地材によるシール性を一定に維持することができること、チャンネル材を金属若しくは硬質樹脂製とすれば、シール面の耐久性が増すと共に、表面を滑らかにして摩擦係数を少なくできるため、目地クッション片との密着性が向上してシール性及び防水性が向上し、目地巾が変化する際の目地クッション片の滑りもよくなること等の効果を奏する。
【図面の簡単な説明】
【図１】目地構造の従来例を示す概略断面図。
【図２】目地材の正面図。
【図３】目地カバーの正面図。
【図４】本発明に係る目地構造の断面図。
【符号の説明】
１０・・目地材
１１・・本体
１２・・取付部
１２ａ・・引掛部
１２ｂ・・突部
１２ｃ・・リップ片
１３・・目地クッション片
１３ａ・・爪
１４・・目地カバー
１４ｂ・・フック状部
１６・・チャンネル材
１７・・外壁パネル
１８・・外壁パネル取付面
１９・・目地
【図１】
0003865532.tif 000002
【図２】
0003865532.tif 000003
【図３】
0003865532.tif 000004
【図４】
0003865532.tif 000005